(57)【要約】【課題】指先を使った細かい作業もできレスキュー用手袋としての機能を備え且つ耐久性を備え、加工工数や時間を低減できて、生産効率に優れた、且つ、高い価格競争力を備えた手袋を提供することを目的とする。【解決手段】複数のパーツＢ１，Ｂ２相互を縫合することによって手袋Ａの形態に形成した手袋Ａであって、当該手袋Ａの少なくとも１つの指の指先部分に掌側側から手の甲側にかけて補強用パーツＢ３が付着された手袋において、前記補強用パーツＢ３の手の甲側の端ｔが、当該手袋の内部で爪の先端が当接する表面部位に略位置する、又は当該爪の先端部位をかろうじてカバーする位置に付着されている。【選択図】図１
2015134975.tif 000002
【特許請求の範囲】
【請求項１】
複数のパーツ相互を縫合することによって手袋の形態に形成した手袋であって、当該
手袋の少なくとも１つの指の指先部分に掌側側から手の甲側にかけて補強用パーツが
付着された手袋において、
前記補強用パーツの手の甲側の端が、当該手袋の内部で爪の先端が当接する部位の表
面に略位置する、又は当該爪の先端部位をかろうじてカバーする位置に付着されている
ことを特徴とする手袋。
【請求項２】
前記補強用のパーツが、前記複数のパーツが縫着されている手袋の指先部分を縫合す
る縫合線を内包するよう付設されていることを特徴とする請求項１記載の手袋。
【請求項３】
前記補強用のパーツが、手袋の全ての指部分に縫合されていることを特徴とする請求
項１〜３のいずれか１の項に記載の手袋。
【請求項４】
前記補強用のパーツが、１枚状のシートで構成されていることを特徴とする請求項３
記載の手袋。
【請求項５】
前記複数のパーツ相互を縫合することによって手袋の形態に形成した手袋において、
手袋の掌側に配置される指部分の長さに比べて、それに対応する手の甲側に配置される
指部分の長さを長くして、当該長くした分をその指部分の手の甲側の第２関節部分にヒ
ダを形成することによって吸収し、縫製後の当該指部分の掌側と手の甲側の先端部分か
ら基端部分にかけての長さを合致させたことを特徴とする請求項１〜４のいずれか１
の項に記載の手袋。
【請求項６】
前記長くした分をその指部分の手の甲側の第２関節部分を含むその指長手方向両側
の部分にヒダを形成することによって吸収したことを特徴とする請求項５記載の手袋。
【請求項７】
前記手袋が所謂ガンカット型の手袋であることを特徴とする、請求項５または請求６
記載の手袋。
【請求項８】
前記ヒダが手袋の人指し指部分から小指部分の指部分に形成されている請求項５〜
７のいずれか１の項に記載の手袋。
【請求項９】
前記手袋の素材が牛革又はカンガルー革によって構成されていることを特徴とする
請求項５〜７のいずれか１の項に記載の手袋。
【発明の詳細な説明】
【技術分野】
【０００１】
この発明は、複数のパーツを縫合して製造される形態であって指先を掌側から手の甲
側にかけて補強用のパーツを設けた手袋、特に、用途的にレスキュー隊員用の手袋（レ
スキュー用手袋ともいう）として好適な手袋に関する。
【背景技術】
【０００２】
手袋は、手にはいたときに手にピッタリとフィットとし、且つ、掌で物を掴むような
動作をしたとき、つまり、指や掌を曲げるような動作をしたときにも、その曲げ動作の
抵抗にならないようなものが好ましい。
加えて、種々の作業の際に最も対象物に接触して穴が明き易い又は縫製部分が破損する
指先部分の掌側から手の甲側にかけての部位に補強用の当て（補強用パーツという）が
付着されている形態の手袋が丈夫さの点で好ましい。特に、レスキュー用手袋の場合に
は、その用途の特殊性より過酷な使用がなされることが多い。このことから、レスキュ
ー用手袋の場合には、前記補強用パーツが付着されている手袋が好ましい。
また、一方において、レスキュー隊員が競技において使用する手袋（単に、競技用手
袋という）は、迅速で且つ細かい動作（例えば、ロープの結束や解除動作等）等が要求
されることから、前述のような性能を備えた手袋が求められる。
このため、従来の競技用の手袋の場合、手袋の素材に、「伸び易く」且つ「手にピッタ
リとフィットすることから、羊（シープ）の革が、専ら使用される。
また、前述のような要求を満たす手袋を提供しようとすると、手にピッタリとフィッ
トさせるために、構成的に手あるいは指の屈曲部分に相当する部位に縫合部分が位置す
るようにパーツを分割したり、あるいは屈曲動作に対応可能な形態にするべく指部分の
側面に「襠」を設けたり、「指の又部分」を実際の指の又部分に一致するような立体形
状となるパーツを別途設けるなど、一般の手袋よりも多数のパーツを相互に縫合するこ
とによって、おこなう。
このような手袋として、特許文献１等に記載される手袋がある。
【先行技術文献】
【特許文献】
【０００３】
【特許文献１】特開２００３−３４２８１３公報
【発明の概要】
【発明が解決しようとする課題】
【０００４】
しかし、前述のように手にフィットとし且つ掌や指が屈曲し易くするべく、多数のパ
ーツ同士を縫合して手袋の形態にしようとすると、より多くの加工工数（裁断と縫合等
の加工工数）と加工時間を必要とし、また熟練したベテランの作業者を必要とする。
また、前述のように、指先部分の掌側から手の甲側にかけての部位に補強用パーツが付
着されている形態の手袋の場合、指先部分が嵩張って指先を使用した細かい作業（例え
ば、ロープの結びや解除）ができず、レスキュー活動に支障をきたす可能性があった。
さらに前記補強用パーツを付着した手袋を生産する場合、当該補強用パーツを手袋本体
に付着するのに１箇所当たり３〜５工程も余分にかかる。このことは、製造原価をさら
に高めることになっていた。
前述のように、従来のレスキュー用の手袋は、加工工数と加工時間および素材の量が
増加し且つ熟練したベテランの作業者を必要とすることから、製造原価を押し上げるこ
とになっていた。
このため、近年、加工工数の多い手袋は人件費の安い諸外国で製造されたものが殆ど
であり、わが国の所謂「製造業の空洞化」を招く一因にもなっていた。
また、素材的に羊皮を使用すると、フィット性の点で優れているものの、耐久性の点
で劣る。
【０００５】
本発明は、このような状況に鑑みておこなわれたもので、指先を使った細かい作業も
できる、レスキュー用手袋としての高い機能を備え、且つ耐久性を備えさせることが可
能で、しかも、製造において、加工工数や加工時間を低減できて、生産効率に優れた、
高い価格競争力を備えた手袋を提供することを目的とする。なお、本発明にかかる手袋
は、用途的にはレスキュー用に限定されるものでなく、作業用手袋としても、また一般
用の手袋としても使用できる。
【課題を解決するための手段】
【０００６】
本第１の発明にかかる手袋は、複数のパーツ相互を縫合することによって手袋の形態
に形成した手袋であって、当該手袋の少なくとも１つの指の指先部分に掌側側から手の
甲側にかけて補強用パーツが付着された手袋において、
前記補強用パーツの手の甲側の端が、当該手袋の内部で爪の先端が当接する部位の表面
に略位置する、又は当該爪の先端部位をかろうじてカバーする位置に設けられているこ
とを特徴とする。
上記のように構成された本発明にかかる手袋は、補強用パーツの手の甲側の端が前述
の如く「手袋の内部で爪の先端が当接する部位の表面に略位置する、又は当該爪の先端
部位をかろうじてカバーする位置である」ため、指先部分で嵩張らず、細かい作業が可
能となるとともに、手袋の指先部分の磨滅を有効に防止することができる。また、かか
る構成は、手袋の製造工程において、手袋の外側から前記補強用パーツを縫着するだけ
でよいため、簡単に取り付けすることができることから、無用に製造原価を増加させる
ようなこともない。従って、従来の補強用パーツを付着した手袋に比べて安価に提供す
ることが可能となる。
【０００７】
前記手袋において、前記補強用のパーツが、前記複数のパーツが縫合されている手袋
の指先部分を縫合する縫合線を内包するよう付設されていると、指先部分の縫合線が物
と接触することがなく、従って磨耗縫合糸が磨耗することがないため、レスキュー用手
袋として使用しても十分な耐久性を備えた手袋を実現することができる。
【０００８】
前記手袋において、前記補強用のパーツが、手袋の全ての指部分に付着されていると
全ての指において前記作用効果を具備した、優れた手袋となる。
【０００９】
前記手袋において、前記補強用のパーツが、１枚のシートで構成されていると、掌部
分全体にわたって当該補強用パーツで外被されることから、より耐久性と安全性が高い
手袋となる。
【００１０】
前記複数のパーツ相互を縫合することによって手袋の形態に形成した手袋におい
て、手袋の掌側に配置される指部分の長さに比べて、それに対応する手の甲側に配置さ
れる指部分の長さを長くして、当該長くした分をその指部分の手の甲側の第２関節部分
にヒダを形成することによって吸収し、縫製後の当該指部分の掌側と手の甲側の先端部
分から基端部分にかけての長さを合致させると、羊革より伸縮性の低い、牛革あるいは
カンガルー革又は合成皮革や人工皮革を素材とし、且つ手の大きさにピッタリの手袋で
あっても、手袋をはいた状態でフィット感があるにもかかわらず指や掌を曲げた状態に
おいても、前記ヒダの形成により、屈曲抵抗がなく、「はき易い」手袋となる。  加え
て、手袋をはいた手が、指をやや掌側に屈曲した自然な状態となるので、長時間手袋を
はいていても疲れにくい手袋となる。
このため、前述した競技用の手袋としても好適な手袋となる。もちろん、通常の作業用
やその他の用途の手袋としても好ましい、画期的な手袋を実現できる。
【００１１】
また、前記手袋において、前記長くした分をその指部分の手の甲側の第２関節部分を
含むその指長手方向両側の部分にヒダを形成することによって吸収すると、より疲れに
くい且つ屈曲性に優れた手袋となる。
【００１２】
また、前記手袋において、前記手袋が所謂ガンカット型の手袋であると、前記優れた
作用効果を奏する手袋を、可及的に少ないパーツで構成することができる。
この結果、人件費の高いわが国において製造しても、競争力を損なうことのない且つ機
能的に優れた手袋を提供することができる。
【００１３】
また、前記手袋において、前記ヒダが手袋の人指し指部分から小指部分の指部分に形
成されていると、前記作用効果をほぼ最大限に得ることができる手袋を実現することが
できる。
【００１４】
また、前記手袋において、前記手袋の素材が牛革又はカンガルー革によって構成され
ていると、機能性に優れるとともに、耐久性にも優れた競技用手袋を実現することがで
きる。
この結果、従来競技用手袋は当該競技のためだけの耐久性に劣る手袋であったものが、
単に競技用だけに限らず通常のレスキュー活動等に使用する手袋とすることもできる。
【発明の効果】
【００１５】
本発明は、指先を使った細かい作業もできるとともに、レスキュー用手袋としてのそ
の他の機能も備え、しかも高い耐久性を備えさせることが可能である。さらに、加工工
数や加工時間を低減できて、生産効率に優れた、高い価格競争力を備えた手袋となる。
また、手袋の加工工数が削減できることから、人件費の高いわが国において製造しても、
価格的に競争力を損なうことがない。
このため、わが国製造業の空洞化を防止することができる。
【図面の簡単な説明】
【００１６】
【図１】本発明の１つの実施の形態にかかるガンカット型の手袋（左手の手袋）の全体の概略の形態（構成）を示す、手の甲側から見た図である。
【図２】図１に示す手袋を掌側から見た図である。
【図３】図１，図２に示す手袋（左手側の手袋）の各パーツ（手袋本体部分、親指部分、人指し指部分と、中指部分の各パーツ）の展開した状態の形状を示す図で、（ａ）は手袋本体部分の掌側のパーツの構成を示す平面図、（ｂ）は手袋本体部分の手の甲側のパーツの構成を示す平面図、（ｃ）は手袋の中指部分の一部を形成するパーツの構成を示す図、（ｄ）は手袋の薬指部分の一部を形成するパーツの構成を示す図、（ｅ）は親指部分の主部のパーツの構成を示す図である。
【図４】図３に示す中指部分と薬指部分を形成する各パーツの、それぞれの掌側と手の甲側のパーツの指長手方向の長さの差を示す図で、（ａ）は中指部分の掌側の部分と甲側部分の長さの差を示す図、（ｂ）は薬指部分の掌側の部分と甲側部分の長さの差を示す図である。
【図５】補強用パーツの指先部分の配置の形態を表す、図１に示す手袋の人指し指部分を指の側方から見た図である。
【発明を実施するための形態】
【００１７】
以下、本発明にかかる手袋の１つの実施の形態を、所謂ガンカット型の手袋を例に挙
げて、図１〜図４の図面を参照しながら具体的に説明する。
【００１８】
図１あるいは図２において、Ｂ１は本発明の実施の形態にかかる手袋Ａの親指部分Ａ
１を除く（手袋本体部分の）手の甲側のパーツである。同じく、Ｂ２は、下記の補強用
パーツＢ３の下層に配置された、本手袋Ａの中指部分Ａ３，薬指部分Ａ４及び親指部分
Ａ１の主部（パーツ１）を除く（手袋本体部分の）掌側のパーツである。  同じく、Ｂ
３は掌側の表面に配置された補強用パーツである。
また、３は前記手の甲側のパーツＢ１の中指部分と相まって手袋の中指部分Ａ３を形成
すべく縫着される、当該中指部分Ａ３の一部を構成するパーツである。
また、４は前記手の甲側のパーツＢ１の薬指部分Ａ４と相まって手袋の薬指部分Ａ４を
形成すべく縫着される、当該薬指部分Ａ４の一部を構成するパーツである。
また、１は本手袋Ａの親指部分Ａ１の主部のパーツであって、両側部ａ１，ａ２を相互
に縫合するとともに、前記掌側のパーツＢ２の親指付け根部分ａ５に、基端部ｂ５（図
３参照）が逢着されることによって、本手袋Ａの親指部分Ａ１を形成するためのパーツ
である。
【００１９】
図３に図示する、前記手の甲側のパーツＢ１、前記掌側のパーツＢ２、前記中指部分
Ａ３の一部を構成するパーツ３、前記薬指部分Ａ４の一部を構成するパーツ４、前記親
指部分の主部を構成するパーツ１と、手首部分のパーツ６（図１，図２参照）とを、図
１，図２に図示する手袋の形態に相互に縫合することによって、本手袋Ａが実現される。  
つまり、本実施形態にかかる手袋Ａの主要部（手首部分のパーツ６を除く部分）は、単
に５つの前記パーツＢ１，前記パーツＢ２，前記パーツ３，前記パーツ４，前記パーツ
５を縫合することによって実現されている。また、本手袋Ａでは、掌側の表面にはさら
に前記補強用パーツＢ３が配置（縫着）されている。
なお、本手袋Ａは、付加的に、前記手袋の主要部の基端に、ゴム帯を備えた前記手首
部分のパーツ６が縫合されている。
【００２０】
そして、図４に図示するように、本実施の形態にかかる手袋Ａの場合、前記手の甲側
のパーツＢ１の中指部分Ａ３の一部を構成する指の長さＬａ３は、前記中指部分Ａ３の
一部を構成するパーツ３の指の長さＬ３に比べて、長く構成されている。この実施の形
態では、図４（ａ）に示す如く、前記指の長さＬａ３が前記指の長さＬ３に比べて長く
なるように構成している。  つまり、前記手の甲側のパーツＢ１の中指部分Ａ３の指先
ｔａ３と前記中指部分Ａ３の一部を構成するパーツ３の指先ｔ３の位置を一致させる
と、前記手の甲側のパーツＢ１の中指部分Ａ３の基端ｇ３から、前記パーツ３の指の付
け根ｈ３が、手首部分側へ突出するような長さに構成されている。  なお、図４では長
さの差が大きくなるようやや誇張して図示している。つまり、長さの差は、実際にはこ
の半分程度〜三分の一程度であればよい。
そして、前記中指部分Ａ３を形成すべく、前述のように構成された、前記パーツ３を
前記手の甲側のパーツＢ１及び前記掌側のパーツＢ２に縫着する際に、前記手の甲側の
パーツＢ１の中指部分Ａ３の指先ｔａ３と前記パーツ３の指先ｔ３の位置を一致させ
た状態で、前記パーツ３の付け根ｈ３（基端３ｂ）が前記掌側のパーツＢ２の縫着部位
ｂ３（図３参照）に一致するように縫合する。また、この縫合において、前記中指部分
Ａ３の第２関節に相当する部分とその指長手方向の前後に近接する部分において、前記
パーツ３に対して前記パーツＢ１の中指部Ａ３の対応する部位が、弛み勝手になった状
態で縫合する。
この結果、前記パーツＢ１側の、手袋Ａの中指部分Ａ３の第２関節部分に相当する部分
とその指長手方向の前後に隣接する部分に、複数の「ヒダ」Ｈ（図１参照）が形成され
た状態（図１の状態参照）となる。前記「ヒダ」Ｈは、指長手方向に直交する方向に「し
わ」が延びた状態のヒダとなる。なお、前記「ヒダ」は少なくとも第２関節部分にのみ
形成されていても、後述する同じ作用効果を奏する。
このように構成することによって、手袋Ａを履いて指を伸ばした状態（あるいはやや
伸ばした状態）で中指部分の甲側に「ヒダ」Ｈが形成された状態となり、且つ、中指を
掌側へ曲げた状態で「ヒダ」Ｈが伸びて、「弛み」が解消された状態となる。
この結果、手を掌側へ曲げるときにも、手袋Ａの指の手の甲側の部分が引っ張るよう
な状態とならないため、無用な抵抗なく、指や掌を容易に曲げることができる。
また、一般に、人間の手は、力を抜いた自然体では、指及び掌が内側に（掌側）にや
や曲がった状態となるが、本手袋Ａでは外力が作用しない状態では、この手の自然体の
状態と手袋Ａが同じ形態となっていることから、手袋を長時間はいたままでも、疲れる
ことが全くない。
前記薬指部分Ａ４についても、図４（ｂ）に図示する如く、前述した前記中指部分Ａ
３と基本的に同じように構成され、同じように作用効果を奏する。
【００２１】
そして、この実施の形態にかかる手袋Ａでは、前述した前記中指部分Ａ３と前記薬指
部分Ａ４と同様の構成を、図１に示す如く、人指し指部分Ａ２と小指部分Ａ５にも採用
している。つまり、この実施の形態にかかる手袋Ａでは、前記人指し指部分Ａ２から小
指部分Ａ５にかけての全ての指部分について採用している。  なお、人指し指Ａ２と小
指Ａ５について前記「長さの差」は、前記手の甲側のパーツＢ１と前記掌側のパーツＢ
２の各指部分で形成することになる。
従って、前述のように「ヒダ」Ｈを形成した手袋Ａを履いて、指を伸ばした状態では、
各指部分の手の甲側の部分には、図１に図示するような「ヒダ」Ｈが形成されている。    
しかしながら、別の実施の形態としては、前記「ヒダ」Ｈを全ての指部分に形成しな
くともよく、例えば、人指し指部分Ａ２のみに、あるいは人指し指部分Ａ２と中指部分
Ａ３のみに形成してもよく，あるいは人指し指部分Ａ２から小指部分Ａ５の４本の指部
分にのみ形成してもよい。また、人指し指部分Ａ２から薬指部分Ａ４にかけての３本の
指部分のみに形成してもよい。さらには、手袋Ａの親指部分Ａ１から小指部分Ａ５の全
てに形成してもよい。
どのような指部分（例えば、人指し指部分等）に前記「ヒダ」Ｈを設けるかは、手袋
Ａの素材や素材の厚さ、または手袋の用途（競技用手袋か又は作業用手袋か）などによ
って、適宜変えればよい。
【００２２】
ところで、この実施の形態にかかる手袋Ａでは、素材として、牛革の厚みが、略０．
４ｍｍ〜１．０ｍｍのもの、例えば競技用手袋としては好ましくは略０．５ｍｍ〜０．
８ｍｍのもの、さらに現実的に好ましくは略０．６ｍｍ〜０．７ｍｍを使用している。  
かかる素材を使用すると、従来の構成の手袋では、競技用手袋としては屈曲し難い手袋
となるところが、本実施の形態にかかる手袋Ａの場合には、前述した構成を採用してい
るため、手袋Ａをはいた状態で、指や掌の屈曲動作等が非常にスムーズにおこなえ、ま
た、指を伸ばした自然体の状態においても手を無理やりに指等を伸ばした状態に強要す
るような力が働くことがないため、手袋Ａを長時間はいた状態でも手が疲れることがな
い。  このため、競技用の手袋としても、問題なく長時間にわたって使用することがで
きる。  また、前記牛革には、柔軟処理されたものを使用するとさらに競技用手袋とし
ても、はき易い手袋が実現できる。
また、一般に牛革より伸縮性の低いカンガルーの革を、手袋の素材として使用しても、
前記構成に起因して、スムーズに指や掌が屈曲でき、且つ、指を伸ばした状態において
も手袋がそのときの手の形態に合致しているため、機能的に問題なく競技用の手袋とし
ても使用できる。
そして、前記牛革やカンガルーの革を使用すると、従来競技用の手袋として専ら使用
していた羊革の手袋に比べて、飛躍的に高い耐久性を生じさせることができる。
従って、競技用手袋であっても長期間にわたって使用できるため、つまり使い捨て的な
手袋とはならないため、環境負荷の低減に寄与する手袋となる。
前述のように、競技用手袋の場合にも、従来の如く素材が制限されることなく、牛革
やカンガルー革等の種々の革や、合成皮革や人工皮革等を必要に応じて選択して使用す
ることができる。
【００２３】
また、本実施の形態にかかる手袋Ａは、前述のように、手袋の手の甲側に配置される
指部分（指部分の長さＬａ３等）が手袋の掌側に配置される指部分（指部分の長さＬ３
等）に比べて長くなるように構成しているが、かかる構成に加えて、さらにその長さの
差を大きくすると、つまり、手袋の手の甲側に配置される指部分（指部分の長さＬａ３
等）の付け根部分を手首部分側へさらに偏位させるべくスリットＳ３（図３参照）をよ
り深く形成することによって、手袋Ａの指の付け根部分が、指の又部分の立体的形態に
合致した、つまり、指の又部分が、手の甲側で手首側に且つ掌側で指先側に傾斜した形
態を、簡単に形成することができ、手袋の指の又部分でさらにフィット感のある且つは
き心地のよい手袋を実現することができる。
【００２４】
前述のように構成された本実施の形態にかかる手袋Ａは、手袋Ａを構成するパーツの
数が極めて少なくなるとともに、機能的にも、指を屈曲するときもスムーズに動作でき、
基本的な状態である「指をやや曲げた状態」で手を開いた待ち状態で長時間いたとして
も、そのときの手の状態と手袋の形態が一致しているため、疲れにくい、優れた手袋を
実現することができる。
【００２５】
また、本実施の形態にかかる手袋Ａは、前述のように、手袋Ａの掌側の表面には、図
２に図示するように、該表面全体にわたって、前記補強用パーツＢ３が縫着されている。
かかる補強用パーツＢ３の小指部分Ａ５を除く全ての指部分の手の甲側の端（先端）ｔ
が、つまり、親指部分Ａ１から薬指部分Ａ４にかけての各指部分の手の甲側の端（先端）
ｔが、図１に図示するように、位置するように付着されている。つまり、この手袋Ａを
はいた状態でその内部で手の爪（図示せず）の先端が、各指部分の手の甲側の端（先端）
ｔに当接する部位の表面に略位置するように、又は当該爪（図示せず）の先端部位をか
ろうじてカバーする位置に位置するように付着されている。換言すれば、補強用パーツ
Ｂ３の前記端ｔが、手袋Ａの前記各指部分の掌側から各指部分の先端ｔ１を経て手の甲
側に僅かに(この実施の形態では、0.5mm 〜1mm程度)、曲がり込むように、付着(縫着)
されている(図５参照)。
【００２６】
このため、本手袋Ａは、細かい作業に際して当該補強用パーツＢ３が嵩張らず、従っ
て、細かい作業を支障なくおこなうことができるとともに、この補強用パーツＢ３によ
り手袋の指先部分の磨滅を有効に防止することができる。また、このように構成するこ
とにより、手袋Ａの製造工程において、手袋Ａの外側から前記補強用パーツＢ３を縫着
するだけでよいため、簡単に取り付けすることができることから、無用に製造原価を増
加させるようなこともない。従って、従来の補強用パーツを付着した手袋に比べて安価
に提供することが可能となる。
【００２７】
ところで、前記実施の形態にかかる手袋Ａでは、補強用パーツＢ３は、手袋Ａの小指
部分Ａ５を除く全ての指部分に設けられているが、いずれか１の指部分のみに設けても
よく、例えば、人指し指部分Ａ２あるいは親指部分Ａ１にのみに設けてもよく、あるい
は、いずれか２つの指部分、例えば人指し指部分Ａ２と親指部分Ａ１にのみ設けてもよ
く、又は、いずれか３つの指部分、例えば、親指部分Ａ１と人指し指部分Ａ２と中指部
分Ａ３にのみ設けても、さらには、５つの指部分全てに設けてもよい。どの指部分に又
は何本の指部分に補強用パーツＢ３を設けるかは、手袋の用途やその他の条件によって
適宜変更することができることは言うまでもない。
また、この実施形態にかかる手袋Ａでは、補強用パーツＢ３として、掌全体を１枚に
した形態のものを用いているが、各指部分の第１関節部分より先端側の部分にのみ配置
する形態のものを用いても、あるいは各指部分の第２関節部分より先端側の部分にのみ
配置する形態のものを用いることもできる。この構成においても、手袋の用途やその他
の条件によって選択できることは言うまでもない。
【００２８】
なお、前記実施の形態では、加工工数が低減できるガンカット型の手袋の場合を例に
挙げて説明しているが、ガンカット型以外の形態の手袋にも本発明を適用することがで
き、本発明特有の基本的な作用効果を得ることができることは言うまでもない。
また、手袋の素材についても、牛革やカンガルー革の他にも、人工皮革や合成皮革にも、
同様に適用でき、同様の作用効果を奏する。
【００２９】
なお、前記実施の形態は単なる１つの実施の形態であって、本発明の技術的思想を逸
脱しない範囲で、種々の形態で実施できることは言うまでもない。
【産業上の利用可能性】
【００３０】
本発明にかかる手袋は、手袋の産業分野において利用することができる。
【符号の説明】
【００３１】
Ａ…手袋
Ｂ１…手袋の手の甲側の一部を構成するパーツ
Ｂ２…手袋の掌側の一部を構成するパーツ
Ｂ３…補強用パーツ
ｔ…補強用パーツの手の甲側の端
ｔ１…指部分の先端
【図１】
2015134975.tif 000003
【図２】
2015134975.tif 000004
【図３】
2015134975.tif 000005
【図４】
2015134975.tif 000006
【図５】
2015134975.tif 000007